(57)【要約】      （修正有）【課題】取り付けが簡単なソーラーブラケットと可動式ソーラー折り畳みバッグを提供する。【解決手段】ブラケット本体１を備え、ブラケット本体にソーラーパネルを組み立てるためのパネル１１が設けられ、パネルにソーラーパネルをクランプするためのバックル機構２が設けられる。ソーラーブラケットと可動式ソーラー折り畳みバッグは、ソーラーパネルの照射面の角度を調整できる、傾斜板３１とクロスブレース３２を備える調整機構３を有し、簡単な分解と便利な使用が可能である。【選択図】図１
0003231525.tif 000002
【実用新案登録請求の範囲】
【請求項１】
ブラケット本体（１）を備え、前記ブラケット本体（１）にソーラーパネルを組み立てるためのパネル（１１）が設けられ、前記パネル（１１）にソーラーパネルをクランプするためのバックル機構（２）が設けられることを特徴とするソーラーブラケット。
【請求項２】
前記バックル機構（２）は、前記パネル（１１）の上端と下端に設けられるベース（２１）と、前記ベース（２１）に合わせるスプリングクリップ（２２）を備えることを特徴とする請求項１に記載のソーラーブラケット。
【請求項３】
前記パネル（１１）の背面に前記パネル（１１）の傾斜角度を調整するための調整機構（３）が設けられることを特徴とする請求項１に記載のソーラーブラケット。
【請求項４】
前記調整機構（３）は、傾斜板（３１）とクロスブレース（３２）を備え、前記傾斜板（３１）の上端をブラケット本体（１）に回転可能なヒンジで接続し、その長さ方向に沿って複数の調整穴（３１１）が設けられ、前記クロスブレース（３２）の一方の端を前記ブラケット本体（１）に回転可能なヒンジで接続し、前記クロスブレース（３２）のもう一方の端が前記調整穴（３１１）を通過し前記傾斜板（３１）に固定されることを特徴とする請求項３に記載のソーラーブラケット。
【請求項５】
複数のソーラーパネルユニット（４）を備え、かつ、上記の請求項のいずれかに記載のソーラーブラケットも備えることを特徴とする可動式ソーラー折り畳みバッグ。
【請求項６】
複数の前記ソーラーパネルユニット（４）の背面に、前記ソーラーブラケットを取り付けるための取付板（４１）がそれぞれ設けられることを特徴とする請求項５に記載の可動式ソーラー折り畳みバッグ。
【請求項７】
複数の前記ソーラーパネルユニット（４）はフレキシブル接続部（５）で接続され、折り畳まれた状態では、各前記ソーラーパネルユニット（４）が前記フレキシブル接続部（５）を介して折り畳まれ、単一の前記ソーラーパネルユニット（４）の体積状態となることを特徴とする請求項５に記載の可動式ソーラー折り畳みバッグ。
【請求項８】
複数の前記ソーラーパネルユニット（４）のうち、最も外側にあるソーラーパネルユニット（４）にハンドル（４２）が設けられることを特徴とする請求項７に記載の可動式ソーラー折り畳みバッグ。
【請求項９】
前記ハンドル（４２）はソーラーパネルユニット（４）の垂直側にあることを特徴とする請求項８に記載の可動式ソーラー折り畳みバッグ。
【考案の詳細な説明】
【技術分野】
【０００１】
本考案は新エネルギー技術分野に関し、特に取り付けが簡単なソーラーブラケットと可動式ソーラー折り畳みバッグに関する。
【背景技術】
【０００２】
太陽エネルギーは、クリーンで高効率で尽きることのない新エネルギーとして、エネルギー危機、地球温暖化、大気汚染などの世界的課題を解決するのに役立つ。現在、太陽エネルギーは世界中で広く使用され、急速に発展している。従来の可動式ソーラーパネルは、エネルギー貯蔵の用途では輸送が容易で機動性が高いという特徴がある。高出力ソーラーパネルの場合、異なる出力電力に合わせるために、複数のソーラーパネルユニットが並列に接続される形になり、各ソーラーパネルユニットは、持ち運びに便利な折り畳みバッグに折り畳まれることができる。
【考案の概要】
【考案が解決しようとする課題】
【０００３】
実際の使用では、ソーラーパネルはソーラーパネルの照射面の角度を調整するためのソーラーブラケットも備える。従来のソーラーブラケットとソーラーパネルは、非着脱式と着脱式の２種類に分けられる。非着脱式の場合、ソーラーパネルを折り畳むと、折り畳みバッグの体積が大きくなる。一方、着脱式の場合、組み立て構造が複雑になり、分解も面倒であり、使い勝手が悪くなる。
【課題を解決するための手段】
【０００４】
本考案は、上記のような問題に鑑みてなされたものであり、ソーラーパネルの照射面の角度を調整でき、簡単な分解と便利な使用が可能であるソーラーブラケットと可動式ソーラー折り畳みバッグを提供することを目的とする。
【０００５】
上記の目的を達成するために、本考案に係るソーラーブラケットは、ブラケット本体を備え、前記ブラケット本体にソーラーパネルを組み立てるためのパネルが設けられ、前記パネルにソーラーパネルをクランプするためのバックル機構が設けられる。
【０００６】
さらに、前記バックル機構は、前記パネルの上端と下端に設けられるベースと、前記ベースに合わせるスプリングクリップを備える。
【０００７】
さらに、前記パネルの背面に前記パネルの傾斜角度を調整するための調整機構が設けられる。
【０００８】
さらに、前記調整機構は、傾斜板とクロスブレースを備え、前記傾斜板の上端をブラケット本体に回転可能なヒンジで接続し、その長さ方向に沿って複数の調整穴が設けられ、前記クロスブレースの一方の端を前記ブラケット本体に回転可能なヒンジで接続し、前記クロスブレースのもう一方の端が前記調整穴を通過し前記傾斜板に固定される。
【０００９】
本考案に係る可動式ソーラー折り畳みバッグは、複数のソーラーパネルユニットとソーラーブラケットを備える。
【００１０】
さらに、複数の前記ソーラーパネルユニットの背面に、前記ソーラーブラケットを取り付けるための取付板がそれぞれ設けられる。
【００１１】
さらに、複数の前記ソーラーパネルユニットはフレキシブル接続部で接続され、折り畳まれた状態では、各前記ソーラーパネルユニットが前記フレキシブル接続部を介して折り畳まれ、単一の前記ソーラーパネルユニットの体積状態となる。
【００１２】
さらに、複数の前記ソーラーパネルユニットのうち、最も外側にあるソーラーパネルユニットにハンドルが設けられる。
【００１３】
さらに、前記ハンドルはソーラーパネルユニットの垂直側にある。
【考案の効果】
【００１４】
本考案は、次のような有益な効果がある。
１．本考案に係るソーラーブラケットは、ソーラーパネルとの組立てが簡単で、組み立てるとき、スプリングクリップを開き、ソーラーパネルの背面をソーラーブラケットのパネルにぴったり付け、そして、スプリングクリップを緩め、スプリングクリップがソーラーパネルの上端と下端をクランプし、組み立てと分解がとても便利である。
【００１５】
２．本考案に係るソーラーブラケットは、傾斜角度調整機構が設けられ、クロスブレースと傾斜板にある様々な組立穴を介して組み立てることで角度を調整できる。使用しないとき、クロスブレースの一端を組立穴から引き抜くことにより、パネルの回転接続部を回って傾斜板とクロスブレースを回転し収納でき、さらに折り畳んだソーラーバッテリーパックと一緒に収納袋に入れることができる。
【００１６】
３．本考案に係る可動式ソーラー折り畳みバッグは、持ち運びや収納に便利で、最も外側のソーラーパネルユニットの垂直側にハンドルが設けられ、ソーラーバッテリーユニットを折り畳んだ後、直接収納袋に入れることができ、また、ハンドルの位置で収納袋の開口部を引き締め、ハンドルを露出させるので持ち運びに便利である。
【図面の簡単な説明】
【００１７】
【図１】本考案に係るソーラーブラケットの構造概略図である。
【図２】本考案のバックル機構の拡大図である。
【図３】本考案の調整機構の拡大図である。
【図４】本考案に係る可動式ソーラー折り畳みバッグの折り畳み状態の正面図である。
【図５】本考案に係る可動式ソーラー折り畳みバッグの折り畳み状態の背面図である。
【図６】本考案に係る可動式ソーラー折り畳みバッグの展開時の構造概略図である。
【図７】本考案に係る可動式ソーラー折り畳みバッグの展開時の正面図である。
【図８】本考案に係る可動式ソーラー折り畳みバッグの展開時の背面図である。
【図９】本考案に係るソーラーブラケットが展開されるときの可動式ソーラー折り畳みバッグの構造概略図である。
【符号の説明】
【００１８】
１  ブラケット本体
１１  パネル
２  バックル機構
２１  ベース
２２  スプリングクリップ
３  調整機構
３１  傾斜板
３１１  調整穴
３２  クロスブレース
４  ソーラーパネルユニット
４１  取付板
４２  ハンドル
５  フレキシブル接続部
【考案を実施するための形態】
【００１９】
以下、添付する図面を参照し本考案の実施形態について明確かつ完全に説明する。明らかに、記載された実施形態は、すべての実施形態ではなく、本考案の実施形態の一部にすぎない。矛盾がない場合、本出願の実施形態及び実施形態における特徴は、組み合わせることができる。当業者が本考案の実施形態に基づいて、創造的な作業なしに得られた他のすべての実施形態は、本考案の保護範囲に含まれるものとする。
【００２０】
本考案の実施形態に方向指示（例えば、上、下、左、右、前、後…）がある場合、当該方向指示は、特定の姿勢（図面に示すように）における各部品間の相対的な位置関係、動きなどを説明するためにのみ使用され、特定の姿勢が変わると、それに応じて方向指示が変わることに留意されたい。
【００２１】
また、本考案の実施形態において「第１」・「第２」などの記載がある場合、この「第１」・「第２」などの記載は、説明のみを目的とし、それらの相対的な重要性を明示したり暗示するもの、示された技術的特徴の数を暗黙的に示すものとして理解することができない。したがって、「第１」・「第２」などで定義された特徴には、明示的または暗黙的に当該特徴の少なくとも１つが含まれることができる。また、「および/または」の意味には、３つの同等の解決策の場合が含まれ、「Ａおよび/またはＢ」を例にとると、解決策Ａ、解決策Ｂ、またはＡとＢの両方を満たす解決策が含まれる。「複数」とは、２つ以上を意味する。各実施形態の技術的解決策は互いに組み合わせることができるが、当業者によって達成できることを前提とする。技術的解決策の組み合わせが矛盾するか、達成できない場合、そのような技術的解決策の組み合わせは存在せず、本考案によって要求される保護範囲内でもないと見なされるべきである。
【００２２】
図１〜９に示すように、本考案に係るソーラーブラケットは、ブラケット本体１を備え、ブラケット本体１にソーラーパネルを組み立てるためのパネル１１が設けられ、パネル１１にソーラーパネルをクランプするためのバックル機構２が設けられる。
【００２３】
本考案に係るソーラーブラケットは、ソーラーパネルとの組立てが簡単で、組み立てるとき、バックル機構でソーラーパネルの背面をソーラーブラケットのパネルにぴったり付け、バックル機構がソーラーパネルの上端と下端をクランプすると固定が完了し、組み立てと分解がとても便利である。
【００２４】
一実施形態では、バックル機構２は、パネル１１の上端と下端に設けられるベース２１と、ベース２１に合わせるスプリングクリップ２２を備える。この設計では、使用時にスプリングクリップを開き、ソーラーパネルの背面をソーラーブラケットのパネルにぴったり付け、そして、スプリングクリップを緩め、スプリングクリップがソーラーパネルの上端と下端をクランプし、使いやすく操作も簡単である。
【００２５】
一実施形態では、パネル１１の背面にパネル１１の傾斜角度を調整するための調整機構３が設けられる。この設計では、調整機構でソーラーパネルの照射面の角度を調整することにより、ソーラーパネルを最も効率的に使用することができる。
【００２６】
一実施形態では、調整機構３は、傾斜板３１とクロスブレース３２を備え、傾斜板３１の上端をブラケット本体１に回転可能なヒンジで接続し、その長さ方向に沿って複数の調整穴３１１が設けられ、クロスブレース３２の一方の端をブラケット本体１に回転可能なヒンジで接続し、クロスブレース３２のもう一方の端が調整穴３１１を通過し傾斜板３１に固定される。この設計では、クロスブレースと傾斜板にある様々な組立穴を介して組み立てることで角度を調整でき、使用しないとき、クロスブレースの一端を組立穴から引き抜くことにより、パネルの回転接続部を回って傾斜板とクロスブレースを回転し収納できる。
【００２７】
本考案に係る可動式ソーラー折り畳みバッグは、複数のソーラーパネルユニット４とソーラーブラケットを備える。
【００２８】
一実施形態では、複数のソーラーパネルユニット４の背面に、ソーラーブラケットを取り付けるための取付板４１がそれぞれ設けられる。この設計では、ソーラーブラケットをソーラーパネルユニットに直接取り付けることによって引き起こされるソーラーパネルユニットの損傷という問題を解決する。
【００２９】
一実施形態では、複数のソーラーパネルユニット４はフレキシブル接続部５で接続され、折り畳まれた状態では、各ソーラーパネルユニット４がフレキシブル接続部５を介して折り畳まれ、単一のソーラーパネルユニット４の体積状態となる。この設計では、複数のソーラーパネルユニットをフレキシブル接続部を介して折り畳むことができ、占用面積を減らす可能である。
【００３０】
一実施形態では、複数のソーラーパネルユニット４のうち、最も外側にあるソーラーパネルユニット４にハンドル４２が設けられる。この設計では、ソーラーバッテリーユニットを折り畳んだ後、直接収納袋に入れることができ、また、ハンドルの位置で収納袋の開口部を引き締め、ハンドルを露出させるので持ち運びに便利である。
【００３１】
一実施形態では、ハンドル４２はソーラーパネルユニット４の垂直側にある。この設計では、作業者が使用するのに便利である。
【００３２】
本明細書に記載の実施例及び実施形態は、例示のみを目的としており、本考案を制限することを意図するものではないことを理解されたい。当業者は、それに基づいて様々な修正または変更を行うことができる。本考案の精神と原則の範囲内で行われた修正、同等の交換、改善などは、本考案の保護範囲に含まれるものとする。
【図１】
0003231525.tif 000003
【図２】
0003231525.tif 000004
【図３】
0003231525.tif 000005
【図４】
0003231525.tif 000006
【図５】
0003231525.tif 000007
【図６】
0003231525.tif 000008
【図７】
0003231525.tif 000009
【図８】
0003231525.tif 000010
【図９】
0003231525.tif 000011